(57)【要約】      （修正有）【課題】組立性を損なうことなく、材料の段ボールを効率的に使用でき、製造工程も簡略化できるようにした段ボール製緩衝材を提供する。【解決手段】内壁部１と一対の外壁部２とを備えたブランクから成り、内壁部１は、内底板１１の一方の対向する側端に枠板１２、頂板１３及び端繋板１４を順次連設したものとし、外壁部２は、外底板２１の対向する側端に外側板２２を連設したものとする。さらに、内底板１１の他方の対向する側端と外底板２１とを折目線３を介して連結すると共に、端繋板１４と外側板２２とを折目線４を介して連結し、内底板１１の両側方に外底板２１を延長し、内壁部１の枠板１２及び頂板１３の部分を外壁部２から切り離す。かつ、内壁部１の外側に一対の外壁部２を折目線３，４に沿って折り重ね、内底板１１及び外底板２１から枠板１２及び外側板２２を起立させて、枠板１２と外側板２２の間に間隔を開ける。【選択図】図４
0003168975.tif 000002
【実用新案登録請求の範囲】
【請求項１】
内壁部(1)と一対の外壁部(2)とを備えたブランクから成り、内壁部(1)は、内底板(11)の一方の対向する側端に枠板(12)、頂板(13)及び端繋板(14)を順次連設したものとし、外壁部(2)は、外底板(21)の対向する側端に外側板(22)を連設したものとし、内底板(11)の他方の対向する側端と外底板(21)とを折目線(3)を介して連結すると共に、端繋板(14)と外側板(22)とを折目線(4)を介して連結し、内底板(11)の両側方に外底板(21)を延長し、内壁部(1)の枠板(12)及び頂板(13)の部分を外壁部(2)から切り離しておき、内壁部(1)の外側に一対の外壁部(2)を折目線(3,4)に沿って折り重ね、内底板(11)及び外底板(21)から枠板(12)及び外側板(22)を起立させて、枠板(12)と外側板(22)の間に間隔を開けるようにした段ボール製緩衝材。
【考案の詳細な説明】
【技術分野】
【０００１】
この考案は、物品を梱包する際、外箱と物品の間に緩衝空間を確保する段ボール製緩衝材に関するものである。
【背景技術】
【０００２】
従来、下記特許文献１においては、図６に示すような段ボール製緩衝材が提案されている。この緩衝材は、図７に示すブランクを組み立てたものである。
【０００３】
このブランクは、内底板５１の一方の対向する側端に枠板５２、頂板５３、外側板５４及び外底板５５を順次連設し、枠板５２及び頂板５３の内側部分を切り込んで、内底板５１から頂板５３へ至る内側板５６を枠板５２から外側へずらして形成し、内底板５１の両端部から外側へ突片５７を突設し、外側板５４から外底板５５への切込により脚片５８を形成したものとされている。
【０００４】
このブランクから緩衝材を形成する際には、頂板５３と外側板５４との境界の折目線に沿ってブランクを折り曲げることにより、内底板５１の下面に外底板５５を重ね、外底板５５同士を貼り合わせて、扁平な折畳状態としておく。
【０００５】
そして、この緩衝材を使用して物品を梱包する際には、内底板５１から枠板５２及び内側板５６を起立させ、同時に外底板５５から外側板５４を起立させると、枠板５２及び内側板５６と外側板５４との間に間隔が開き、枠板５２の内側に物品収納部が形成される。
【０００６】
この組立状態において、内底板５１から突出した突片５７の先端が外側板５４の内面に当接し、緩衝材が保形されて、物品収納部の周囲に緩衝空間が確保され、外底板５５より下方へ突出した脚片５８により、物品収納部の下方にも緩衝空間が確保される。
【先行技術文献】
【特許文献】
【０００７】
【特許文献１】特開平９−１８８３６２号公報
【考案の概要】
【考案が解決しようとする課題】
【０００８】
しかしながら、上記のような緩衝材では、ブランクが一方向へ長くなり、材料を効率的に使用できないという問題がある。
【０００９】
また、製造に際し、ブランクの打抜後、外底板５５同士を折り重ねて貼り合わせる工程が必要となるという問題がある。
【００１０】
そこで、この考案は、組立性を損なうことなく、材料の段ボールを効率的に使用でき、製造工程も簡略化できるようにすることを課題とする。
【課題を解決するための手段】
【００１１】
上記課題を解決するため、この考案に係る段ボール製緩衝材は、内壁部と一対の外壁部とを備えたブランクから成り、内壁部は、内底板の一方の対向する側端に枠板、頂板及び端繋板を順次連設したものとし、外壁部は、外底板の対向する側端に外側板を連設したものとし、内底板の他方の対向する側端と外底板とを折目線を介して連結すると共に、端繋板と外側板とを折目線を介して連結し、内底板の両側方に外底板を延長し、内壁部の枠板及び頂板の部分を外壁部から切り離しておき、内壁部の外側に一対の外壁部を折目線に沿って折り重ね、内底板及び外底板から枠板及び外側板を起立させて、枠板と外側板の間に間隔を開けるようにしたのである。
【考案の効果】
【００１２】
この考案に係る段ボール製緩衝材では、ブランクにおいて、内壁部と一対の外壁部とが並列に配置されるので、ブランクの長さが短くなり、材料の段ボールを効率よく使用することができる。
【００１３】
また、内壁部に一対の外壁部を折り重ね、内底板及び外底板から枠板及び外側板を起立させるだけで、貼り合わせ加工を行なうことなく、容易に組み立てられる。
【図面の簡単な説明】
【００１４】
【図１】この考案の実施形態に係る段ボール製緩衝材のブランクを示す図
【図２】同上の折畳過程を示す斜視図
【図３】同上の折畳状態を示す斜視図
【図４】同上の組立状態を示す斜視図
【図５】同上の使用状態を示す斜視図
【図６】従来の段ボール製緩衝材の組立状態を示す斜視図
【図７】同上のブランクを示す図
【考案を実施するための形態】
【００１５】
以下、この考案の実施形態を添付図面に基づいて説明する。
【００１６】
この段ボール製緩衝材は、鉢物の梱包に使用するものであり、図１に示すような１枚のブランクから形成される。
【００１７】
このブランクは、内壁部１と一対の外壁部２とを備えている。内壁部１は、内底板１１の一方の対向する側端に枠板１２、頂板１３及び端繋板１４を順次連設したものとされ、外壁部２は、外底板２１の対向する側端に外側板２２を連設したものとされている。これらの連設部には、押罫と切目とが交互に断続するリード罫の折目線が入れられている。
【００１８】
内底板１１の他方の対向する側端と外底板２１とは、折目線３を介して連結され、端繋板１４と外側板２２とは、間隔の狭い２本の平行な折目線４に挟まれた部分を介して連結されている。折目線３は、段ボールを内底板１１の内側となる面から厚さ方向に外側のライナを残して切り込んだ半切線とされ、折目線４は押罫とされている。
【００１９】
外底板２１は、内底板１１の両側方に延長され、内壁部１の枠板１２及び頂板１３の部分は、外壁部２から切り離されている。
【００２０】
内壁部１において、枠板１２の中間部は、内底板１１から頂板１３まで被梱包物の嵌込用に切り抜かれ、その切抜部分に臨んで、内底板１１から外側へ突片１５が突出し、突片１５の先端には係合突起１５ａが設けられている。
【００２１】
また、この切抜部分に臨んで、頂板１３から内側へ端縁が湾入弧状となった保持片１６が突出し、各枠板１２から対向方向へ押罫を介して添当片１７が突出している。
【００２２】
外壁部２において、外側板２２には、外底板２１との境界に沿って係合切込２２ａが入れられ、また、緩衝材を外箱に挿入する際や外箱から引き出す際に手を掛ける取手部２３が設けられている。
【００２３】
このブランクから緩衝材を形成する際には、図２及び図３に示すように、内壁部１の外側となる面に外壁部２を折目線３，４に沿って折り重ね、対向する外壁部２の先端縁同士を突き合わせ、扁平な折畳状態とする。このような折畳状態では、梱包作業場所への輸送時や保管時に嵩張ることがない。
【００２４】
一方、この緩衝材を使用して鉢物を梱包する際には、図３に示す折畳状態から表裏反転させて、図４に示すように、重なり合った内底板１１及び外底板２１から枠板１２及び外側板２２を起立させると、枠板１２と外側板２２の間に間隔が開く。
【００２５】
このとき、係合突起１５ａが係合切込２２ａに係合して、突片１５の先端が外側板２２の内面に当接し、内壁部１と外壁部２とのずれが阻止されて、構造が強化される。
【００２６】
上記のような段ボール製緩衝材Ｃでは、ブランクにおいて、内壁部１と一対の外壁部２とが並列に配置されるので、ブランクの長さが短くなり、材料の段ボールを効率よく使用することができる。
【００２７】
また、内壁部１に一対の外壁部２を折り重ね、重なり合った内底板１１及び外底板２１から枠板１２及び外側板２２を起立させるだけで、貼り合わせ加工を行なうことなく、容易に組み立てられる。
【００２８】
そして、この緩衝材Ｃを使用して鉢物を梱包する際には、図５に示すように、外箱Ｂに緩衝材Ｃを挿入し、頂板１３から対向して突出した保持片１６の間に鉢Ｐを挿入し、保持片１６の弧状の端縁を鉢Ｐの上部外周に当接させる。この状態において、鉢Ｐの胴部外周に添当片１７が弾力的に当接し、鉢Ｐの傾斜が防止される。
【００２９】
このように鉢Ｐを梱包すると、外箱Ｂの内部において、所定の位置に保持された鉢Ｐの周囲に緩衝空間が設けられ、輸送中の振動や衝撃から鉢Ｐが保護される。
【００３０】
なお、上記実施形態では、折り畳みに際し、一対の外壁部２の先端縁同士を突き合わせるようにしたが、使用する材料や要求される強度によっては、外壁部２を短くして、対向する外壁部２の先端縁間に間隔が開くようにしてもよい。
【００３１】
また、枠板１２の中間部に１個の被梱包物の嵌合用の切抜部分を設けたものを例示したが、枠板１２を細分化して、２個以上の被梱包物の嵌合用の切抜部分を設けるようにしてもよい。
【符号の説明】
【００３２】
Ｃ  緩衝材
１  内壁部
２  外壁部
３，４  折目線
１１  内底板
１２  枠板
１３  頂板
１４  端繋板
１５  突片
１５ａ  係合突起
１６  保持片
１７  添当片
２１  外底板
２２  外側板
２２ａ  係合切込
２３  取手部
Ｂ  外箱
Ｐ  鉢
【図１】
0003168975.tif 000003
【図２】
0003168975.tif 000004
【図３】
0003168975.tif 000005
【図４】
0003168975.tif 000006
【図５】
0003168975.tif 000007
【図６】
0003168975.tif 000008
【図７】
0003168975.tif 000009